(57)【要約】【課題】本発明は、クイックカップリングの構成部品の機械的部分の安全な結合、容易な着脱、効率的な結合、および着脱に操作道具を使用しないクイックカップリングに関する。【解決手段】クイックカップリング１が、雌本体部３と、雌本体部３に螺合して組み立てられる雄本体部２を備えている。雌本体部３は、ベアリング１１を有する内側筒状体８を備え、ベアリング１１上に位置している。雌本体部３は、径方向に延びた複数の孔部２０を備えている。ボール素子２１は、孔部２０に係合し、雄本体部２に形成された周方向溝に嵌合する。ボール素子２１は、リングナット１５の内側に形成された拡張部１６で径方向に係止される。リングナット１５は、雌本体部に関わる付勢ばね１７に抗して駆動される。【選択図】図１
2007298175.tif 000002
【特許請求の範囲】
【請求項１】
雌本体部に螺合可能に接続される雄本体部を備えるクイックカップリングにおいて、雌本体部３は、ベアリング１１を有する内側筒状体８を備え、該ベアリング上に位置している、ことを特徴とするクイックカップリング。
【請求項２】
前記雌本体部３は、その先端部に周方向に設けた複数の孔部２０を備え、該孔部２０は、その中に複数の周方向に移動可能なボール素子２１を収容し、該ボール素子２１は、前記雄本体部２の周方向の溝２２に係合可能で、該ボール素子２１は、リングナット１５の内側に形成した環状拡張部１６で径方向に係止され、該リングナット１５は、逆付勢ばね１７に抗し駆動される、ことを特徴とする請求項１に記載のクイックカップリング。
【請求項３】
前記ベアリング１１は、前記雌本体部３の中空室１２に収容され、スラストベアリングに形成されている、ことを特徴とする請求項１に記載のクイックカップリング。
【請求項４】
前記ベアリング１１は、その動作状態で、周方向の溝に係合された弾性体のリング素子１３、１４で、前記中空室１２内で規制されている、ことを特徴とする請求項３に記載のクイックカップリング。
【請求項５】
前記クイックカップリング１の前記雌本体部３が、周方向の前記環状拡張部１６を備える変位可能な前記リングナット１５を備え、前記ばねが、前記拡張部１６に抗して位置し、前記雌本体部３の外側肩部１８に当接している、ことを特徴とする請求項１に記載のクイックカップリング。
【請求項６】
移動可能な前記リングナット１５が、その端部で弾性体のリング素子１９で規制されている、ことを特徴とする請求項５に記載のクイックカップリング。
【請求項７】
前記雄本体部２が、前記クイックカップリング１の前記雌本体部３に完全に螺合している時、前記ボール素子２１が、前記雄本体部２の前記周方向溝２２に係合し、前記ばね１７が、前記リングナット１５をセット方向ｆに駆動するようにし、前記ボール素子２１の上で前記環状拡張部１６を係止する、ことを特徴とする請求項１に記載のクイックカップリング。
【発明の詳細な説明】
【技術分野】
【０００１】
本発明は、クイックカップリングの構成部品の機械的部分の安全な結合、容易な着脱、効率的な結合、および着脱に操作道具を使用しないクイックカップリングに関する。
【背景技術】
【０００２】
冷凍分野では、継続的に冷却する従来技術の電気または電子装置が要求される。この装置は、複数の管を使用し、冷媒を冷凍装置に供給し、冷媒の回収に導管に戻す。この送出または供給、戻りの管または導管は、冷凍装置にクイックカップリングで通常結合している。
【０００３】
従来のクイックカップリングは、雄素子のねじ山が、雌素子に形成されるねじ山に係合する。クイックカップリングの２つの本体部が、偶発的に離れてスライド抜けするのを防ぐために、従来のクイックカップリングは、通常、保護リングナット素子を備えている。そのリングナット素子は、トルクレンチによるクランプトルクで締め付けている。
【０００４】
この従来の配置の難点は、螺合した部品の着脱に、トルクレンチのような工具を必要とする。この工具の使用には、クイックカップリングの雌部の内側筒部と外側筒部間に発生する大きな摩擦を越す力を必要とする。
【発明の開示】
【発明が解決しようとする課題】
【０００５】
本発明の目的は、ねじ山を設けた本体部を、スライド可能で着脱する新規なクイックカップリングを提供することにある。この着脱は、簡単な手動操作で、操作工具を必要とせず、安全なクイックカップリングの結合を提供する。
【課題を解決するための手段】
【０００６】
クイックカップリングは、雌本体部に螺合して結合する雄本体部を備え、雌本体部は、ベアリングを収容する内側筒状体を備え、外側筒状体がベアリング上に位置している。好ましくは、雌本体部の外側筒状体が、その前方側で、複数の周方向に延びる孔部を備え、孔部は、その中に径方向に移動可能なボール素子を収容している。ボール素子は、雄本体部の周方向溝に係合するように構成され、雌本体部のリングナットの内側に形成した周方向の拡張部で径方向に係止されるように構成され、逆付勢ばね(counter biasing spring)に抗して駆動するように構成されている。
【発明を実施するための最良の形態】
【０００７】
図１に示すように、クイックカップリング１は、雄本体部２と雌本体部３からなり、雄本体部と雌本体部が互いに結合する。雄本体部２は、前方部分に外側ねじ山４(thread)を備え、雌本体部３の内部に設けた内側ねじ山５と螺合して結合する。作動流体、例えば冷媒を、雄本体部２の入口６または雌本体部３の入口７から供給する。入口７は、筒状体８の中に形成され、筒状体は、従来技術で知られるように、ばね１０で囲まれた長手方向に延びるステム9を収容している。構成部品９、１０および関連するガスケット、好ましくはＯ−リングシールについては、詳細な説明を省略する。これらは従来技術でよく知られているためである。
【０００８】
好ましくは、筒状体８が、ベアリング１１、好ましくはスラストベアリングを備えている。スラストベアリングは、軸方向の押す力および径方向の力に抗するようにしている。ベアリング１１は、雌本体部３内に形成される環状の中空室１２に収容されている。ベアリング１１は、弾性体のリング素子１３、１４で所望の位置に固定されている。
【０００９】
リング素子１３、１４は、適切な係合溝に係合している。ベアリンクを適切に位置させ係止させる手段を提供することも明らかに可能である。ベアリング１１の配置で、雌本体部３の外側と筒状体８の間の摩擦力が、事実上、除去される。これにより、ねじ山４、５の着脱に、操作道具を必要とせず容易に手動で出来る。従来のカップリングの摩擦力は、ベアリング１１の配置で克服される。クイックカップリング１の雌本体部３の前方側または前方部に、移動可能なリングナット１５を備えている。
【００１０】
リングナット１５は、その前方に内側の環状拡張部１６を備え、ばね１７に当接している。ばね１７は、雌本体部３の外側肩部１８にも当接し、位置的に固定されている。リングナット１５の端部は、弾性体のリング素子１９で保持されている。複数の径方向に延びる孔部２０が、筒状の雌本体部３の先端部で、周方向に形成されている。この孔部２０は、対応する複数のボール素子２１を中に収容する。
【００１１】
このボール素子２１は、雄本体部２と雌本体部３が完全に結合している時には、雄本体部２の周方向溝２２に係合し、雄本体部２および雌本体部３の係止手段として作用する。雄本体部２が、ねじ山４、５で雌本体部３に螺合する時に、ボール素子２１は、雄本体部３から径方向外側に移動し、リングナット１５を後方に駆動し（図２）、ばね１７を押し付ける。雄本体部２が、雌本体部３に完全に螺合している時は、ボール素子２１は、雄本体部の溝または隙間２２に入る。ばね１７が、図３の矢印ｆで示す方向にリングナット１５を駆動する。 
【００１２】
内側環状拡張部１６は、ボール素子２１上に位置し、所望の位置でボール素子２１を係止し、 クイックカップリング１の雄本体部２と雌本体部３の安全かつ正確な係止の結合を提供する。
【００１３】
雄本体部２を雌本体部３から取り外す時は、リングナット１５を図３に示す矢印ｇ方向に移動させ、ボール素子２１を径方向に移動させ、自由な状態にし、雌本体部３から雄本体部２を引き出す。ボール素子２１は、径方向外側に自由に移動可能で、雄本体部２を容易に引き離すことが出来る。
【図面の簡単な説明】
【００１４】
【図１】クイックカップリングを取り外した状態の雄本体部および雌本体部の長さ方向断面図である。
【図２】クイックカップリングを一部螺合して組み立てた構成部品の長さ方向断面図である。
【図３】クイックカップリングを完全に組み立てた状態の構成部品を示す。
【図１】
2007298175.tif 000003
【図２】
2007298175.tif 000004
【図３】
2007298175.tif 000005
【外国語明細書】
2007298175.tif 000006
2007298175.tif 000007
2007298175.tif 000008
2007298175.tif 000009
2007298175.tif 000010
2007298175.tif 000011
2007298175.tif 000012
2007298175.tif 000013
2007298175.tif 000014
【選択図】図１
【図１】
2007298175.tif 000015
【図２】
2007298175.tif 000016
【図３】
2007298175.tif 000017